(57)【要約】【目的】外径を異にする複数種のピンに適用でき、ピアスなどのような小サイズのものに適用でき、かつ製造コストが掛かり過ぎないようにした装身具の止め具を提供することである。【構成】ピン挿入のための開口を有するハウジング内に、内側壁面にテーパー部が形成されている案内筒を設けると共に、該案内筒の内側空間に、複数の球体と、該球体に対して下面が接触する鍔部材を有し、弾性体により常にピン挿入のための開口方向に付勢されている球体押圧部材が配置されており、ピンの直径＋球体の直径×２の数値に対応するテーパー部の内径位置において、複数の球体で形成される環の内側においてピンを挟持する構成であることを特徴とする装身具の止め具である。【選択図】        図１
2008000394.tif 000002
【特許請求の範囲】
【請求項１】
ピン挿入のための開口を有するハウジング内に、内側壁面にテーパー部が形成されている案内筒を設けると共に、該案内筒の内側空間に、複数の球体と、該球体に対して下面が接触する鍔部材を有し、弾性体により常にピン挿入のための開口方向に付勢されている球体押圧部材が配置されており、ピンの直径＋球体の直径×２の数値に対応するテーパー部の内径位置において、複数の球体で形成される環の内側においてピンを挟持する構成であることを特徴とする装身具の止め具。
【請求項２】
案内筒におけるテーパー部の下方位置に下部円筒状内壁部が形成されており、この領域において球体が上下に自由運動可能な構成であることを特徴とする請求項１に記載の装身具の止め具。
【請求項３】
ハウジングが、上側ハウジングと下側ハウジングから成る２部材で構成されて  おり、下側ハウジングにはピン挿入のための開口が、上側ハウジングには、案内筒内に配置される球体押圧部材が出入りする開口が、夫々形成されており、上側ハウジングの開口から露出する球体押圧部材の端部には、球体押圧部材を出し入れ操作するための摘みが配設されている構成であることを特徴とする請求項１に記載の装身具の止め具。
【発明の詳細な説明】
【技術分野】
【０００１】
本発明は、ピアスなどの装身具類の止め具、更に詳しくは、ピアス、ネクタイ止め、ブローチなどの装身具（バッジ或いは頭飾品など、本体側にピンが用意されている型式のものを包含する）において、ピンの先端側から装着して、本体が脱落するのを防止するのに利用される止め具に関する。
【背景技術】
【０００２】
従来例を説明し、併せて、本発明の課題が生まれた背景を明らかにする。
【０００３】
先ず、図５に従って、従来例として、特許文献１（実公昭６３−２８８８４号公報）に示されている装飾体保持具を説明する。
【０００４】
この装飾体保持具は、円筒状の中子（Ａ）の一端に環状配列された複数の係止球（Ｂ）により、挿入したピン（Ｃ）の周壁を横方向から押圧して固定する方式である。中子（Ａ）に環状配列されている係止球（Ｂ）がピン（Ｃ）方向への押圧力を持つのは、中子（Ａ）が収納される基体（Ｄ）におけるテーパー状の中繰り（中空部）（Ｄ１）の構造と、中子（Ａ）に対する弾性体（Ｅ）によるピン方向への押圧力とが関係している。即ち、中繰り（Ｄ１）の断面を長方形ではなく略台形とすると、位置（高さ）により内径が異なることとなり、環状配列されている複数の係止球（Ｂ）で形成される環の最外周の直径（固定値）よりも大の部分が生じる。中子（Ａ）が動かされて、環状配列されている係止球（Ｂ）の環が中繰り（Ｄ１）の大径部分にある場合は、環状配列されている夫々の係止球（Ｂ）は外周方向から規制を受けることがないから、ピン（Ｃ）に対する押圧力は失われる。これに対し、中子（Ａ）が弾性体（Ｅ）の働きによりピンの挿入口（Ｄ２）の方向に押圧されて、環状配列されている係止球（Ｂ）の環が、中繰り（Ｄ１）の小径部分にあるよう位置決めされると、環状配列されている係止球（Ｂ）の環は中繰り（Ｄ１）の壁方向から環の中心方向に押圧されることになり、挿入されたピン（Ｃ）を挟持することとなる。
【０００５】
上記において、複数の係止球（Ｂ）は円筒状の中子（Ａ）の端部に環状配列されている構成であるから、複数の係止球（Ｂ）で形成される鋼球群の環の直径は、円筒状の中子（Ｄ）の中繰り（Ｄ１）に対する位置関係によって基本的に変化がなく、中繰り（Ｄ１）の最底部（最深部）においてピン（Ｃ）を挟持する部位においてだけ、鋼球群の環の外周に接触する構成である。つまり、環状配列された係止球（Ｂ）がピン（Ｃ）に対して押圧力を発揮する部分は１箇所だけてあり、中繰り（Ｄ１）の最底部（最深部）において鋼球群に中心方向への押圧力が発生する構造であればよく、中繰り（Ｄ１）の断面構造としてテーパー状を採用することには技術上格別の要請のあることではない。更に、このような構成では、鋼球群が押圧力を発揮する部位のサイズは固定的であり、対応するピンの外径に対応していることが要求される。従って、外径を異にするピンに対しては、対応するサイズの止め具を用意しなければならない。
【０００６】
また、上記した従来例においては、円筒状の中子（Ａ）は、その中心部にピン（Ｃ）を挿入し得るサイズの中空部を持つこと、鋼球群を環状に配列するための係合孔を複数個用意すること、弾性体（Ｅ）を配設するための構造を持つこと、等々の技術的要請を受けている。従って、ネクタイピンやバッジなどに利用する比較的大きいサイズの場合には、円筒状の中子（Ａ）の形成に掛かる技術的負担は軽いが、耳朶に取り付けるピアスに適用しようとする、サイズは極端に小さなものとなり、技術的負担が重くなる結果、製造コストの上昇を招くことになる。
【０００７】
次に、図６に従って、特許文献２（実公昭３９−１１８７７号公報）に示されているバッジの座金を説明する。
【０００８】
このバッジの座金の特徴は、係止球（Ｂ）群を外側から押圧する部材として逆台形の鋼球ガイド（Ｄ２）を採用し、係止球（Ｂ）群が環状に配設される中子（Ａ２）がどの位置にあっても、複数の係止球（Ｂ）で形成される鋼球の環の外径が鋼球ガイド（Ｄ２）の面に常に接触していることである。
【０００９】
その結果、ピンの挿入口から遠くなる程に、係止球（Ｂ）群の環の径は大となり、ピン（Ｃ）に対する押圧力は軽減することなる。
【００１０】
上記構成を、ピアスなどの小さいサイズのものに適用しようとすると、上記した特許文献１の場合と同様の課題が生じることなる。重要な課題は、鋼球群の保持の問題である。特許文献１では、円筒状の中子に配設した係止孔で鋼球群を保持する構成を採用しており、特許文献２では、逆円錐台形の鋼球受けの側面に複数の鋼球群を配設する構成を採用している。どちらの構成にしても、ピアスなどの小さいサイズのものに適用しようとすると、超精密加工が要求され、製造コストの上昇は免れない障壁である。
【００１１】
特許文献３（第２５７６２２０号実用新案登録公報）には、装身具の係止装置として、対ローラによる押圧力が中空体に対する位置により変化する構成が示されているが、ピアスなどの小さいサイズのものには不適と思われる。
【特許文献１】実公昭６３−２８８８４号公報（実開昭５８−１０７０１０号）
【特許文献２】実公昭３９−１１８７７号公報
【特許文献３】第２５７６２２０号実用新案登録公報
【発明の開示】
【発明が解決しようとする課題】
【００１２】
以上により、本発明が解決しようとする課題は明かであるが、これを整理すると、（１）外径を異にする複数種のピンに適用できること、（２）ピアスなどのような小サイズのものに適用できること、（３）製造コストが掛かり過ぎないこと、である。      
【課題を解決するための手段】
【００１３】
上記課題を解決する本発明に係るピン止め具は、下記の構成であることを特徴とする。
１．ピン挿入のための開口を有するハウジング内に、内側壁面にテーパー部が形成されている案内筒を設けると共に、該案内筒の内側空間に、複数の球体と、該球体に対して下面が接触する鍔部材を有し、弾性体により常にピン挿入のための開口方向に付勢されている球体押圧部材が配置されており、ピンの直径＋球体の直径×２の数値に対応するテーパー部の内径位置において、複数の球体で形成される環の内側においてピンを挟持する構成であることを特徴とする装身具の止め具。
【００１４】
２．案内筒におけるテーパー部の下方位置に下部円筒状内壁部が形成されており、この領域において球体が上下に自由運動可能な構成であることを特徴とする前記１に記載の装身具の止め具。
【００１５】
３．ハウジングが、上側ハウジングと下側ハウジングから成る２部材で構成されて  おり、下側ハウジングにはピン挿入のための開口が、上側ハウジングには、案内筒内に配置される球体押圧部材が出入りする開口が、夫々形成されており、上側ハウジングの開口から露出する球体押圧部材の端部には、球体押圧部材を出し入れ操作するための摘みが配設されている構成であることを特徴とする前記１に記載の装身具の止め具。
【発明の効果】
【００１６】
外径を異にするピンを止めることができるから、利用できるピンの外径寸法に制約されていた従来品に比較し、異種の装身具などの止め具として利用することができるから量産メリットが期待できる。また、外径寸法の異なるピンに対応できるから、紛失など日常よくある事態に際して、即座に対応が可能である。
【発明を実施するための最良の形態】
【００１７】
次に、本発明を、実施例を示す図面に従って詳細に説明する。
図１において、本発明に係る止め具１０は、装身具などの本体２０に用意されているピン３０を挿入させて、案内筒４０の内側に用意されている複数の球体５０の（水平方向への）押圧力により固定し、本体２０と止め具１０とが離脱するのを防止するのに利用される。図示しないが、ピン３０は服地や耳朶に空けた小孔などを貫いた状態にあることは当然である。
【００１８】
更に詳しく説明する。案内筒４０は、その内側に、上部円筒状内壁部４１、テーパー部４２、下部円筒状内壁部４３とが形成されており、ハウジング６０内に収納されている。ハウジング６０は、上側ハウジング６１と下側ハウジング６２とで構成されており、夫々の中央部には円形の開口が設けられている。下側ハウジング６２の開口部は、ピン３０の挿入口となっている。上側ハウジング６１の開口部に係合して、球体押圧部材７０が配置されている。球体押圧部材７０の下端側には、円盤状の鍔部材７１が固定されており、その下面は、球体５０の上面に接触して、球体５０を下方向に押圧している。その押圧力の源泉は、上側ハウジング６１の中央開口部周縁の下面と鍔部材７１の上面との間に配設されている弾性体としてのコイルスプリング７２である。コイルスプリング７２によって図面上において下方に押圧されている球体押圧部材７０は、指先による摘み７３の引き出し操作により、コイルスプリング７２の力に抗して上側ハウジング６１の開口部から引き出すことができ、この操作により球体５０に対する上方からの押圧力が解除されるので、球体５０によるピン３０の挟持力は解消される結果、ピン３０は止め具１０から自由に抜き取ることが可能となる。
【００１９】
ここで、上記した球体５０によるピン３０に対する挟持力がどのような仕組みで発生するのかを説明する。
【００２０】
球体５０は複数個が配設される。これは、ピン３０の断面が円形であること、ピン３０の所定の円周面に対して力を図面上における水平方向に均等に作用させること、などを考慮したものであるが、配設する個数は、好ましくは３個以上であればよく個数に限定はないのであるが、個数を極端に多くすれば、球体５０自体の直径と、球体５０を環状に配設させた場合に形成される環の外径と内径の大きさとが他の部材のサイズ設計に影響を及ぼすことになるから、自ずから配置個数は制限されることになる。従って、配設される球体５０の個数により本発明の技術的範囲を逃れることはできない問題である。然しながら、ピン３０の断面形状として特殊な形状、例えば、雪輪紋或いは歯車の如き切欠が設けられていたり、三角形や四角形などの多角形とする態様では、雪輪紋における雪輪の数、歯車の谷の数、多角形の面に対応する数が、球体５０の配設個数を限定することになる。
【００２１】
さて、本発明に係る止め具１０において最も重要な構成は、案内筒４０の内壁に、下部円筒状内壁部４３に連続するテーパー部４２が用意されていることである。このテーパー部４２の断面形状は円形であるから、図面上において上方に行くに従って次第に下方より大径となっている。図１と図２の比較から明らかなように、球体５０がテーパー部４２のどの高さ位置にあるかにより、球体５０の複数により形成される環の外径が決定されることになる。このことは同時に、球体５０の複数により形成される環の内径が決定されることでもある。複数の球体５０によって形成される環が、球体押圧部材７０の鍔部材７１の下面に押圧されて、図１に示す如く、最下端に形成されている状態では、球体５０の環の内径は最小となっており、この内径よりも外径が大であるピン３０が挿入されると、コイルスプリング７２の力に抗して、ピン３０の先端が球体５０の環を押し上げることなる。球体５０の環が押し上げられ、その外周が接する位置が、テーパー部４２のより大きな外径の部位に移動することなる。その移動量は、ピン３０の外径に従うことなる。
【００２２】
基本的には、ピン３０の外径＋球体５０の外径×２が複数の球体５０によって形成される環の外径であり、この数値に対応するテーパー部４２の高さ位置で球体５０の環が静止状態となるが、この状態は、コイルスプリング７２により図面上において下方向に付勢されている球体押圧部材７０の鍔部材７１による球体５０の環に対する押圧力により維持される。別な説明をすると、球体５０の環の引力による自然落下は、挿入されたピン３０が球体５０の環の内側に存在することで阻止され、球体５０が上方に逃げようとする力は、コイルスプリング７２により付勢されている球体押圧部材７０の押圧力により規制されるから、常に、ピン３０の外径に対応した位置で釣り合うこととなる。  
【００２３】
上記したメカニズムは、テーパー部４２の最上部の外径と最下部の外径の数値が、ピン３０の外径＋球体５０の外径×２の数値を包含するものであれば、機能することを意味しており、球体５０の外径×２の数値が固定したものであっても、外径を異にするピン３０を止めることが可能であることである。
【００２４】
尚、テーパー部４２の傾斜角は、急であれば、ピン３０の小さな挿入量で挟持力が作用し、緩であれば、大きな挿入量で挟持力が作用することを意味する。従って、テーパー部４２の傾斜角は、利用される装身具などの種類により、自由に設定することが可能である。
【００２５】
尚、図１及び図２に示す実施態様においては、テーパー部４２の下方に続いて、下部円筒状内壁部４３が設けられており、その長さ（高さ）は、球体５０の外径よりも大である。球体押圧部材７０の鍔部材７１の外径は、テーパー部４２の最下端位置の内径に略等しく設定されていることから、球体押圧部材７０の鍔部材７１が存在し得る位置は限定されることになり、球体５０の群は、鍔部材７１の下方位置において自由な転動が可能となっている。このことは、ピン３０を挿入した場合の最初の部分に遊びがあることを意味するが、このメカニズムは、ピン３０を挿入し始めた際に、ピン３０の遊び（転動）により、球体押圧部材７０が機能していない、言わばニュートラルの状態にあることを操作者に報知し得ることになる。
【００２６】
上記構成に関連して下部円筒状内壁部４３の長さ（高さ）と直径について説明する。下部円筒状内壁部４３の長さ（高さ）は、球体５０の直径よりも大であると説明したが、その長さ（高さ）は球体５０の直径の２倍未満とし、球体５０が自由運動を行って直列状態になることを避ける構成とするのが、誤動作を避ける意味からも好ましい。また、下部円筒状内壁部４３の直径は、ピンの直径＋球体５０の直径×２未満とする。直径をピンの直径＋球体５０の直径×２の数値に等しく設定すると、ピン３０を挿入した際に、球体５０の群を上方に押し上げ、テーパー部４２に移動させる機能が働かないことになる。つまり、ピン３０は、その先端は針状であり、先端から所定の長さでは直径が徐々に大きくなり、次いで同径の棒状となる構造であるから、下部円筒状内壁部４３の直径が、ピン３０の棒状部分の直径＋球体の直径×２に設定されていると、特定の直径を持つピン３０だけが挿入可能であるが、球体３０のテーパー部４２方向への移動が行われることがなく、従って、球体押圧部材７０が機能せず、ピン３０の挟持を行うことができない。
【００２７】
尚、上記したような球体５０の遊びメカニズムを設けない構成、即ち、下部円筒状内壁部４３を設けず、テーパー部４２の最下端が球体５０の存在し得る最下端位置とする構成とすることも可能である。
【００２８】
図１に示す実施態様において、球体５０の上方向への移動は常に鍔部材７１の下面で押さえられているから、テーパー部４２の上限は、コイルスプリング７２が最大に圧縮された状態における鍔部材７１の下面位置に対応する。従って、この位置から上方に位置する上部円筒状内壁部４２は、球体５０を挟持することに関して何ら機能していないから、構成要素としては除外することが可能である。
【００２９】
図３には、案内筒４０の内面全長をテーパー部４０とする構成が示されている。
このような構成では、テーパー部４０の上端位置まで球体５０が移動するから、それに対応した鍔部材７１のストロークとコイルスプリング７２の配設位置が考慮されなければならない。図３に示す態様では、上側ハウジング６１の上面中央部に延長部６３を設けてコイルスプリング７２を収納するスペースとする構成とした。
【００３０】
図１及び図２に示すように、上側ハウジング６１には開口が用意されており、球体押圧部材７０の円筒体部分が出入りする。球体押圧部材７０の端部には、摘み７３が配設されており、この摘み７３を指先で摘んで操作すれば、コイルスプリング７２の力に抗して球体押圧部材７０を引き出すことができ、球体５０によるピン３０の挟持を解除することができる。
【００３１】
図４に従って、本発明に係る止め具の他の実施態様を説明する。この態様の特徴はピン３０を挟持する部材に関する。即ち、上記した各実施態様においては、球体５０の外表面が直接にピン３０の外周面に接触して挟持する構成としたのに対し、この実施態様では、球体押圧部材７０の下端に、鍔部材７１の下方に延長する延長部７４を設け、更に、この延長部７４は、鍔部材７１を含めて縦方向に複数に分割して、各部分を外方向に向かう弾性を付与することにより、１種のチャック機構を構成したことに特徴がある。更に好ましい態様では、延長部７４の内側には、例えば雌ネジの如き溝条を形成し、ピン３０を挟持する際におけるピン外周面に対する食い込みを良好とする構成を設ける。
【００３２】
この実施態様では、複数個配設される球体５０が、延長部７４と鍔部材７１とに規制されて、常に環状配列が維持される機能がある。テーパー部４２の（高さ）位置における球体５０の環の内径に従って延長部７４が球体５０によって中心方向に付勢され、延長部７４がチャック機構として機能し、その内側がピン３０の外周面を挟持することにある。球体５０の環によるピン３０の挟持が複数の点接触であるのに対し、延長部７４の内側でのピン３０の挟持が面接触であるから、摩擦力は増大し、ピン３０が抜け出る虞が小さくなる機能がある。
【００３３】
上記した実施態様では、延長部７４の肉厚分が存在するから、案内筒４０の内部に形成されている上部円筒状内壁部４１、テーパー部４２、下部円筒状内壁部４３などの寸法に変更が必要であることは当然である。
【００３４】
本発明に係る止め具を構成する各部材は、プレス加工、研削加工、成型加工など様々な加工手段により形成することが可能であるから、図１に示した各部材の形状や個数に限定されるものではなく、用いられる素材と加工手段の違いにより形状や個数に違いが生じることは当然である。例えば、図１に示した案内筒４０としては、円柱状金属の外周部研削と中繰りにより単一部材として形成することができるし、合成樹脂による押し出し成型やブロー成型によっても単一部材として形成することができる。また、案内筒４０を、上部円筒状内壁４１を持つ上部とテーパー部４２を持つ下部の２つの部材で構成する設計などにより、用いられる素材の種類と加工手段とに自由度が得られる。
【００３５】
また、構成要素となる各部材を形成する素材は限定的要素ではなく、装身具などの種類・サイズ・価格などに応じて、単一金属又は合金・プラスチックス・木竹・石など様々な素材を自由に利用することができる。
【００３６】
素材の選択により得られる利点に関し、１例を挙げて説明する。図１に示されている案内筒４０を形成する素材としてゴム材・軟質合成樹脂材など弾性を有する素材を利用することにより、球体５０の表面の１部が沈み込んだ状態で挟持することになり、固定状態を強化し得る利益がある。球体５０が接触する側の面に弾性材を積層する構造でも同様の効果が得られる。
る。
【００３７】
弾性率は充分に考慮する必要があるが、球体５０を形成する素材として、弾性を有する素材を利用しても、上記と同様の効果が得られる。この態様は、硬質材で形成された球体５０の表面を軟質の素材で被覆する構成でも実現可能である。
【００３８】
尚、球体押圧部材７０を付勢する弾性体として、コイルスプリング７２を用いる構成を例に挙げたが、板バネやゴム材などを利用できることは勿論である。
【００３９】
尚また、本発明に係る止め具には、任意の個所に装飾体を付加ないし吊下させる等しても良い。
【図面の簡単な説明】
【００４０】
【図１】本発明に係る止め具の概略断面図
【図２】本発明に係る止め具の概略断面図
【図３】本発明に係る止め具の他の実施態様を示す概略断面図
【図４】本発明に係る止め具の他の実施態様を示す概略断面図
【図５】従来品の概略断面図
【図６】従来品の概略断面図
【符号の説明】
【００４１】
１０−本発明に係る止め具
２０−装身具の本体
３０−ピン
４０−案内筒
４１−上部円筒状内壁部
４２−テーパー部
４３−下部円筒状内壁部
５０−球体
６０−ハウジング
６１−上側ハウジング
６２−下側ハウジング
７０−球体押圧部材
７１−鍔部材
７２−弾性体（コイルスプリング）
７３−摘み
７４−延長部  
Ａ−円筒状の中子
Ａ２−中子
Ｂ−係止球
Ｃ−ピン
Ｄ−中子が収納される基体
Ｄ１−テーパー状の中繰り（中空部）
Ｄ２−鋼球ガイド
Ｅ−弾性体
【図１】
2008000394.tif 000003
【図２】
2008000394.tif 000004
【図３】
2008000394.tif 000005
【図４】
2008000394.tif 000006
【図５】
2008000394.tif 000007
【図６】
2008000394.tif 000008
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
ピン挿入のための開口を有するハウジング内に、内側壁面にテーパー部が形成されている案内筒を設けると共に、該案内筒の内側空間に、複数の球体と、該球体に対して下面が接触する鍔部材を有し、弾性体により常にピン挿入のための開口方向に付勢されている球体押圧部材が配置されており、ピンの直径＋球体の直径×２の数値に対応するテーパー部の内径位置において、複数の球体で形成される環の内側においてピンを挟持する構成（但し、複数の球体は球体押圧部材の端部に配設されている鍔部材の外方位置に配設されており、球体押圧部材が球体を係止する開口ないし孔を有する構成を除く。）であることを特徴とする装身具の止め具。
【請求項２】
案内筒におけるテーパー部の下方位置に下部円筒状内壁部が形成されており、この領域において球体が上下に自由運動可能な構成であることを特徴とする請求項１に記載の装身具の止め具。
【請求項３】
下部円筒状内壁部の長さ（高さ）が、球体の直径の２倍未満であることを特徴とする請求項１又は２に記載の装身具の止め具。
【手続補正２】
【補正対象書類名】明細書
【補正対象項目名】００１３
【補正方法】変更
【補正の内容】
【００１３】
上記課題を解決する本発明に係るピアスなど装身具の止め具は、下記の構成であることを特徴とする。
１．ピン挿入のための開口を有するハウジング内に、内側壁面にテーパー部が形成されている案内筒を設けると共に、該案内筒の内側空間に、複数の球体と、該球体に対して下面が接触する鍔部材を有し、弾性体により常にピン挿入のための開口方向に付勢されている球体押圧部材が配置されており、ピンの直径＋球体の直径×２の数値に対応するテーパー部の内径位置において、複数の球体で形成される環の内側においてピンを挟持する構成（
但し、複数の球体は球体押圧部材の端部に配設されている鍔部材の外方位置に配設されており、球体押圧部材が球体を係止する開口ないし孔を有する構成を除く。）であることを特徴とする装身具の止め具。
【手続補正３】
【補正対象書類名】明細書
【補正対象項目名】００１５
【補正方法】変更
【補正の内容】
【００１５】
３．下部円筒状内壁部の長さ（高さ）が、球体の直径の２倍未満であることを特徴とする前記１又は２に記載の装身具の止め具。
本願発明の参考発明に係るピアスなど装身具の止め具は、下記の構成であることを特徴とする。
ハウジングが、上側ハウジングと下側ハウジングから成る２部材で構成されて  おり、下側ハウジングにはピン挿入のための開口が、上側ハウジングには、案内筒内に配置される球体押圧部材が出入りする開口が、夫々形成されており、上側ハウジングの開口から露出する球体押圧部材の端部には、球体押圧部材を出し入れ操作するための摘みが配設されている構成であることを特徴とする前記１に記載の装身具の止め具。
【手続補正４】
【補正対象書類名】明細書
【補正対象項目名】００２６
【補正方法】変更
【補正の内容】
【００２６】
上記構成に関連して下部円筒状内壁部４３の長さ（高さ）と直径について説明する。下部円筒状内壁部４３の長さ（高さ）は、球体５０の直径よりも大であると説明したが、誤動作を避けるために、その長さ（高さ）は球体５０の直径の２倍未満とし、球体５０が自由運動を行って直列状態になることを避ける構成とする。また、下部円筒状内壁部４３の直径は、ピンの直径＋球体５０の直径×２未満とする。直径をピンの直径＋球体５０の直径×２の数値に等しく設定すると、ピン３０を挿入した際に、球体５０の群を上方に押し上げ、テーパー部４２に移動させる機能が働かないことになる。つまり、ピン３０は、その先端は針状であり、先端から所定の長さでは直径が徐々に大きくなり、次いで同径の棒状となる構造であるから、下部円筒状内壁部４３の直径が、ピン３０の棒状部分の直径＋球体の直径×２に設定されていると、特定の直径を持つピン３０だけが挿入可能であるが、球体３０のテーパー部４２方向への移動が行われることがなく、従って、球体押圧部材７０が機能せず、ピン３０の挟持を行うことができない。
【手続補正５】
【補正対象書類名】明細書
【補正対象項目名】００３１
【補正方法】変更
【補正の内容】
【００３１】
図４に従って、参考発明に係る止め具の他の実施態様を説明する。この態様の特徴はピン３０を挟持する部材に関する。即ち、上記した各実施態様においては、球体５０の外表面が直接にピン３０の外周面に接触して挟持する構成としたのに対し、この実施態様では、球体押圧部材７０の下端に、鍔部材７１の下方に延長する延長部７４を設け、更に、この延長部７４は、鍔部材７１を含めて縦方向に複数に分割して、各部分を外方向に向かう
弾性を付与することにより、１種のチャック機構を構成したことに特徴がある。更に好ましい態様では、延長部７４の内側には、例えば雌ネジの如き溝条を形成し、ピン３０を挟持する際におけるピン外周面に対する食い込みを良好とする構成を設ける。
【手続補正６】
【補正対象書類名】明細書
【補正対象項目名】００４０
【補正方法】変更
【補正の内容】
【００４０】
【図１】本発明に係る止め具の概略断面図
【図２】本発明に係る止め具の概略断面図
【図３】本発明に係る止め具の他の実施態様を示す概略断面図
【図４】参考発明に係る止め具の他の実施態様を示す概略断面図
【図５】従来品の概略断面図
【図６】従来品の概略断面図［符号の説明］